(57)【要約】【課題】甘味料及びその容器、その食べかすなどの欠片にありがたかることを、美観、機能性、作業性を損なうことなく防止する。【解決手段】ありが水を越えられない、或いは水を越えて侵入しない性質を利用し、砂糖など甘味料及び、その容器の周囲に、水の障壁を設けることにより、接近及び侵入することを防止する。水の障壁を装置自体に設けたタイプ、テーブルなどの脚部に設けたタイプ、テーブルの上面に溝を設けたタイプ、床面の溝に設けたタイプ、障壁を線上に設けたタイプがある。【選択図】図１
2011078321.tif 000002
【特許請求の範囲】
【請求項１】
砂糖など甘味料及び一部の食用油など甘味料以外にもありが好む物質の収納容器、及び砂糖など甘味料及び一部の食用油など甘味料以外にもありが好む物質の欠片などにありが近接及び侵入することを、水  或いは、水に防腐剤などの添加物を加えたもの、また、水以外の機械油なども全て含む、ありが食用とせず、ありが活動する温度において液体状である物質を、ありが侵入することを防止する対象範囲の周囲、または経路に巡らし、障壁とすることにより、防止する装置。
【請求項２】
請求項１の障壁を図１、図２、図３のように設置することにより、ありの接近・侵入を防止する装置。図１、図２、図３では周囲及び内部を円形のもので示したが、本発明装置の形状は円形に限らない。
【請求項３】
請求項１の障壁を図４、図５、図６、図７のように、テーブルなどの脚部に設置することにより、ありの接近・侵入を防止する装置。テーブルなどの脚部はその本数に関わらず全てに本装置を設置し、経路を遮断する。
【請求項４】
請求項１の障壁を図８、図９、図１０、図１１、図１２のように、床部などに設置することにより、ありの接近・侵入を防止する装置。床部の形や方形以外に円形、またはそのほかどのような形でも適用する。
【請求項５】
請求項１の障壁を、請求項４のように設置した部分の横断用の橋を図８、図９、図１０、図１１、図１２、図１３、図１４、図１５、図１６、図１７、図１８のように設置することにより、請求項４のありの接近・侵入防止を補助する装置。なお、橋は１３  人間は通行可能だが、ありは通行出来ない橋の部分、及び１４  人間もありも通行可能な橋の部分に分離出来るが、１４  人間もありも通行可能な橋の部分は省略が可能とする。
【請求項６】
請求項１の障壁を図１９、図２０、図２１、図２２、図２３、図２４のように、堤の形で設置することにより、ありの接近・侵入を防止する装置。
【請求項７】
請求項１の障壁を図２５、図２６、図２７、図２８のように、テーブルまたは作業台などに取り付けることにより、ありの接近・侵入を防止する装置。テーブルまたは作業台などの形は方形以外に円形、またはそのほかどのような形でも適用する。
【請求項８】
請求項１の障壁を請求項３に示す図４の部分を図２９に、図５の部分を図３０に、図６の部分を図３１に、図７の部分を図３２のように変更することにより、本装置の「７  水など障壁となる液体を入れる容器内側」の上方、及び下方の部分を伸張したものであって、伸張した部分を、ひもその他により緊縛する、或いは締め付けることを可能にし、テーブルなどの脚部の中間地点への取り付けを、より効率的に実施可能としたものである。なお、図３０は図２９に示す本装置の拡大図である。図３１は図３０の平面図である。図３２は図３１のＫ−Ｋ’の断面図である。
【請求項９】
請求項１の障壁を、請求項５に示す、図１６の部分を図３０に、図１７の部分を図３１に、図１８の部分を図３２のように変更することにより、本装置の「７  水など障壁となる液体を入れる容器内側」の上方、及び下方の部分を伸張したものであって、伸張した部分を、ひもその他により緊縛する、或いは締め付けることにより、「１６  ありが登れない構造の橋の脚」の中間地点への取り付けを、より効率的に実施可能としたものである。
【請求項１０】
請求項１の障壁を、請求項３の図４、図５、図６、図７に示すような方法で実施するものだが、これに以下の内容を加える。本発明品が図３３、図３４、図３５、図３６に示すような状態で、「１８  滑り易くする、或いは逆に滑りにくくする、或いは、床などテーブルの設置場所を傷つけないようにする、或いは美観をよくするなどのためのカバー」と一体となるように、設置された装置。
【請求項１１】
請求項１の障壁の液体の能力に以下の内容を追加することにより、あり以外の害虫に対しても侵入防止の効果を得る。追加する内容は、液体中に、あり及びその他の害虫の侵入を防止可能な薬品を添加することにより、あり及びその他の害虫の侵入を防止する。添加する薬品の内容については、本発明に含まない。
【請求項１２】
請求項１１の障壁を、図３７、図３８、図３９、図４０に示すような方法で実施するように、設置された装置。１９  ベッドなど、本発明の装置が設置される本体を方形のもので示したが、本発明装置の形状は方形に限らない。円形を含む全ての形状に対応可能である。
【請求項１３】
請求項２、請求項３、請求項４、請求項５、請求項６、請求項７、請求項８、請求項９、請求項１０における「請求項１の障壁を」の内容を、「請求項１１の障壁を」と置き換えることにより、あり以外の害虫に対しても侵入防止の効果を得る。
【請求項１４】
請求項１、請求項１１の液体の表面に油類或いはこれに類する比重の軽い物質を添加することにより、請求項１、請求項１１の液体の表面に薄膜を生じ、蚊のボーフラの生育を防止する効果を得る。
【請求項１５】
請求項１、請求項１１の液体に塩を添加し、塩水とすることにより、ナメクジの侵入及び近接を防止する効果を得る。
【発明の詳細な説明】
【技術分野】
【０００１】
本発明は、砂糖など甘味料及び一部の食用油など甘味料以外にもありが好む物質の収納容器、及び砂糖など甘味料及び一部の食用油など甘味料以外にもありが好む物質がこぼれた欠片などにありが侵入することを防止する装置に関するものである。
【背景技術】
【０００２】
砂糖など甘味料及び、一部の食用油など甘味料以外にもありが好む物質には、ありがその存在を探索し、一匹のありがその存在を確認すると、その情報により何匹もに膨れ上がり、群がることとなる。通常はこれを防止するために、密閉容器などを利用するが、すきまをすり抜けてありが内部に侵入することもまれではない。
【０００３】
同時に食事時、或いは菓子類など甘味料を使用する食品の作成時など、テーブル上に甘味料が含まれた食品の一部が残存し、或いは放置され、これにありが群がることも良く見られる光景である。
【０００４】
また、床面に甘味料が含まれた食品の一部が残存し、或いは放置され、これにありが群がることも十分考えられることである。
【０００５】
この改善策として、ありが水を越えられない、或いは水を越えて侵入しない性質を利用し、対策する方法がある。
【発明の概要】
【発明が解決しようとする課題】
【０００６】
解決しようとする問題点は、ありはほぼ正確に砂糖など甘味料及び一部の食用油など甘味料以外にもありが好む物質のありかを探りあて、通常の残存している、あるいはおおきなすきまのある容器、あるいは密閉容器でさえもすきまをくぐりぬけて侵入し、これに群がってくることである。
【課題を解決するための手段】
【０００７】
本発明は、ありが水を越えられない、或いは水を越えて侵入しない性質を利用し、水  或いは、水に防腐剤などの添加物を加えたもの、また、水以外の油なども全む、ありが活動する温度において液体であり、ありが食用としない、またはありが好まない物質の障壁を設置することにより、ありが砂糖など甘味料及び一部の食用油など甘味料以外にもありが食用とする物質に、接近及び侵入することを防止することを最も主要な特徴とする
【発明の効果】
【０００８】
本発明は、一定の範囲の周囲に、水、或いは、水に防腐剤などの添加物を加えたもの、また、水以外の油なども全む、ありが活動する温度において液体であり、ありが食用としない、またはありが好まない物質の障壁を設置するという簡易な方法で、ありの接近、侵入を防止出来るという利点がある。
【図面の簡単な説明】
【０００９】
【図１】図１はあり侵入防止装置の実施方法を示した説明図である。（実施例１）
【図２】図２はあり侵入防止装置の実施方法を示した説明図である。（実施例１）
【図３】図３はあり侵入防止装置の実施方法を示した説明図である。（実施例１）
【図４】図４はあり侵入防止装置の実施方法を示した説明図である。（実施例２）
【図５】図５はあり侵入防止装置の実施方法を示した説明図である。（実施例２）
【図６】図６はあり侵入防止装置の実施方法を示した説明図である。（実施例２）
【図７】図７はあり侵入防止装置の実施方法を示した説明図である。（実施例２）
【図８】図８はあり侵入防止装置の実施方法を示した説明図である。（実施例３）
【図９】図９はあり侵入防止装置の実施方法を示した説明図である。（実施例３）
【図１０】図１０はあり侵入防止装置の実施方法を示した説明図である。（実施例３）
【図１１】図１１はあり侵入防止装置の実施方法を示した説明図である。（実施例３）
【図１２】図１２はあり侵入防止装置の実施方法を示した説明図である。（実施例３）
【図１３】図１３はあり侵入防止装置の実施方法を示した説明図である。（実施例３）
【図１４】図１４はあり侵入防止装置の実施方法を示した説明図である。（実施例３）
【図１５】図１５はあり侵入防止装置の実施方法を示した説明図である。（実施例３）
【図１６】図１６はあり侵入防止装置の実施方法を示した説明図である。（実施例３）
【図１７】図１７はあり侵入防止装置の実施方法を示した説明図である。（実施例３）
【図１８】図１８はあり侵入防止装置の実施方法を示した説明図である。（実施例３）
【図１９】図１９はあり侵入防止装置の実施方法を示した説明図である。（実施例４）
【図２０】図２０はあり侵入防止装置の実施方法を示した説明図である。（実施例４）
【図２１】図２１はあり侵入防止装置の実施方法を示した説明図である。（実施例４）
【図２２】図２２はあり侵入防止装置の実施方法を示した説明図である。（実施例４）
【図２３】図２３はあり侵入防止装置の実施方法を示した説明図である。（実施例４）
【図２４】図２４はあり侵入防止装置の実施方法を示した説明図である。（実施例４）
【図２５】図２５はあり侵入防止装置の実施方法を示した説明図である。（実施例５）
【図２６】図２６はあり侵入防止装置の実施方法を示した説明図である。（実施例５）
【図２７】図２７はあり侵入防止装置の実施方法を示した説明図である。（実施例５）
【図２８】図２８はあり侵入防止装置の実施方法を示した説明図である。（実施例５）
【図２９】図２９はあり侵入防止装置の実施方法を示した説明図である。（実施例２）
【図３０】図３０はあり侵入防止装置の実施方法を示した説明図である。（実施例２、実施例３）
【図３１】図３１はあり侵入防止装置の実施方法を示した説明図である。（実施例２、実施例３）
【図３２】図３２はあり侵入防止装置の実施方法を示した説明図である。（実施例２、実施例３）
【図３３】図３３はあり侵入防止装置の実施方法を示した説明図である。（実施例６）
【図３４】図３４はあり侵入防止装置の実施方法を示した説明図である。（実施例６）
【図３５】図３５はあり侵入防止装置の実施方法を示した説明図である。（実施例６）
【図３６】図３６はあり侵入防止装置の実施方法を示した説明図である。（実施例６）
【図３７】図３７はあり侵入防止装置の実施方法を示した説明図である。（実施例７）
【図３８】図３８はあり侵入防止装置の実施方法を示した説明図である。（実施例７）
【図３９】図３９はあり侵入防止装置の実施方法を示した説明図である。（実施例７）
【図４０】図４０はあり侵入防止装置の実施方法を示した説明図である。（実施例７）
【発明を実施するための形態】
【００１０】
水、水に防腐剤などの添加物を加えたもの、水に酸、アルカリなどを混ぜたもの、水以外の物質で、ありが活動する温度において液体であり、ありが食用としない、またはありが好まない物質の障壁を設置することにより、ありが砂糖など甘味料及び一部の食用油など甘味料以外にもありが食用とする物質に、接近及び侵入防止を効果的に実現した。
【実施例１】
【００１１】
図１は本発明装置のテーブル上などのありが食用とする物質或いはその収納容器にありが接近・侵入することを防止する説明図であって、ありは、本発明装置に設置された水  或いは、水に防腐剤などの添加物を加えたもの、また、水以外の例えば機械油なども全て含む、ありが活動する温度において液体であり、ありが食用としない物質を障壁とすることにより、ありの接近及び侵入を防止する。中央の１砂糖など甘味料、またはその収納容器置き部、２水など障壁となる液体、３「１  砂糖など甘味料、またはその収納容器置き部」と「２  水など障壁  となる液体」をつなぐ部分、及び４縁部より、構成される。
【００１２】
図２は、本発明装置の実施例１の平面図である。図３は本発明装置の実施例１の図２におけるＡ−Ａ’の断面図である。
【実施例２】
【００１３】
図４は５ テーブルまたは作業台など、本発明の装置が設置される設備の本体にありが侵入することを防止する説明図であって、ありが５ テーブルまたは作業台など、本発明の装置が設置される設備の本体にたどりつくためには、６ テーブルまたは作業台など、本発明の装置が設置される設備の脚部に設置された２ 水など障壁となる液体を越えなくてはならない。２ 水など障壁となる液体は図４に示すように、７ 水など障壁となる液体を入れる容器内側、及び８ 水など障壁となる液体を入れる容器外側より構成される本発明の装置により、６ テーブルまたは作業台など、本発明の装置が設置される設備の脚部に設置される。図４では６ テーブルまたは作業台など、本発明の装置が設置される設備の脚部は４本で示しており、４本全てに本装置を設置する。このように、６ テーブルまたは作業台などのありが侵入することを防止するためには、本発明の装置が設置される設備の脚部の本数は未定だが、全ての脚部に本装置を設置する必要がある。
【００１４】
図４の実施例は、ありが５ テーブルまたは作業台など、本発明が設置される設備の本体から離れた方向、すなわち床面など、下部の方向から、テーブル又は作業台上面の方向に移動するためには、水の障壁を越えなくてはならない。ありは一般的に水の障壁を越えて探索したり、また、あえて、水がある方向に近づくことはなく、、テーブル又は作業台上面にたどりつくことが出来ない。
【００１５】
図５は、図４に示した本発明装置の拡大図である。図６は図５の平面図である。図７は図６のＢ−Ｂ’の断面図である。
【実施例３】
【００１６】
図８は本発明装置の特定の室内に、床面経由でありが侵入することを防止する説明図であって、ありは１１  ありの接近、及び侵入を防止すべき対象の部分にたどりつくためには、９  対象となる室内床の境界方向より１０  水など障壁となる液体を貯める溝部を越えなくてはならない。ありは、この１０  水など障壁となる液体を貯める溝部を越えられず、侵入が防止される。１０  水など障壁となる液体を貯める溝部を、人間或いは、人間及び車両などが横断する箇所を、１３  人間は通行可能だがありは通行出来ない橋の部分、及び１４  人間もありも通行可能な橋の部分により設置している。実施例３の発明対象は、１０  水など障壁となる液体を貯める溝部、１３  人間は通行可能だがありは通行出来ない橋の部分、及び１４  人間もありも通行可能な橋の部分である。
【００１７】
図９は、図８の平面図である。図１０は図９のＣ−Ｃ’断面図である。図１１は図９のＤ−Ｄ’断面図である。図１２は図１１の拡大図である。
【００１８】
図１３は、図８の、１０  水など障壁となる液体を貯める溝部、１３  人間は通行可能だがありは通行出来ない橋の部分、１４  人間もありも通行可能な橋の部分の拡大図である。１０  水など障壁となる液体を貯める溝部を横切る形で、１３  人間は通行可能だがありは通行出来ない橋の部分が設置され、１１  ありの接近、及び侵入を防止すべき対象の部分に、ありが接近、及び侵入することを防止している。
【００１９】
１３  人間は通行可能だがありは通行出来ない橋の部分には、１５  通常の橋の脚、及び１６  ありが登れない構造の橋の脚が設置される。 １５  通常の橋の脚は、１１  ありの接近、及び侵入を防止すべき対象の部分側に設置され、１６  ありが登れない構造の橋の脚は、１０  水など障壁となる液体を貯める溝部を挟んでその反対側に設置される。また、図１３に示すように、１３  人間は通行可能だがありは通行出来ない橋の部分の１６  ありが登れない構造の橋の脚が付いている側に、ありが渡れないだけの隙間を空け、隣接して、１４  人間もありも通行可能な橋の部分が設置される。１４  人間もありも通行可能な橋の部分はなくても、ありの１１  ありの接近、及び侵入を防止すべき対象の部分への侵入に影響はないが、人間或いは、人間及び車両などが横断するとき、１３  人間は通行可能だがありは通行出来ない橋の部分の１６  ありが登れない構造の橋の脚の側に出来る、通行する際の段差を防止するために設置するものである。
【００２０】
図１４は図１３の平面図である。図１５は図１４のＥ−Ｅ’断面図である。図１６は１３  人間は通行可能だがありは通行出来ない橋の部分の１６  ありが登れない構造の橋の脚に設置される、２  水など障壁となる液体、７  水など障壁となる液体を入れる容器内側、８  水など障壁となる液体を入れる容器外側の拡大図である。図１７は図１６の平面図である。図１８は図１７のＦ−Ｆ’断面である。
【実施例４】
【００２１】
図１９は本発明装置のテーブル、作業台、床上などに置かれた砂糖収納容器などにありが侵入することを防止する説明図であって、ありは砂糖収納容器などの周囲に設置された、本発明装置の水の障壁を越えることが出来ず、本発明装置の内側に置かれた砂糖収納容器などにたどりつくことが出来ない。本図は、本発明装置が円形の場合の説明図である。
【００２２】
図２０は、本発明装置の実施例４の平面図である。図２１は、図２０のＧ−Ｇ’断面図である。
【００２３】
図２２は本発明装置のテーブル、作業台、床上などに置かれた砂糖収納容器などにありが侵入することを防止する説明図であって、ありは砂糖収納容器などの周囲に設置された、本発明装置の水の障壁を越えることが出来ず、本発明装置の内側に置かれた砂糖収納容器などにたどりつくことが出来ない。本図は、本発明装置が方形の場合の説明図である。なお、本発明装置は円形、方形以外のどのような形でも構わない。
【００２４】
図２３は、本発明装置の図２２の平面図である。図２４は図２３のＨ−Ｈ’断面図である。
【実施例５】
【００２５】
図２５は本発明装置のテーブル又は作業台などの作業範囲にありが侵入することを防止する説明図であって、ありが１７  溝を掘ってあるテーブル又は作業台の縁にたどりついたとしても、１０  水など障壁となる液体を貯める溝部に囲まれた内部には、１０  水など障壁となる液体を貯める溝部に貯められた、２  水など障壁となる液体を越えることは出来ず、１０  水など障壁となる液体を貯める溝部に囲まれた内部には、たどりつけない。
【００２６】
図２６は、図２５の平面図である。図２７は図２６のＩ−Ｉ断面図である。図２８は図２６のＪ−Ｊ’断面図である。
【実施例６】
【００２７】
図３３は５ テーブルまたは作業台など、本発明の装置が設置される設備の本体にありが侵入することを防止する説明図であって、ありが５ テーブルまたは作業台など、本発明の装置が設置される設備の本体にたどりつくためには、６ テーブルまたは作業台など、本発明の装置が設置される設備の脚部に設置された２ 水など障壁となる液体を越えなくてはならない。２ 水など障壁となる液体は図３３に示すように、７ 水など障壁となる液体を入れる容器内側、及び８ 水など障壁となる液体を入れる容器外側より構成される本発明の装置により、６ テーブルまたは作業台など、本発明の装置が設置される設備の脚部に設置される。図３３では６ テーブルまたは作業台など、本発明の装置が設置される設備の脚部は４本で示しており、４本全てに本装置を設置する。
図３３では、図４で示す本装置が、６ テーブルまたは作業台など、本発明の装置が設置される設備の脚部の最下端に設置される、１８  滑り易くする、或いは逆に滑りにくくする、或いは、床などテーブルの設置場所を傷つけないようにする、或いは美観をよくするなどのためのカバーに、結合させ、一体型とすることにより、より機能的に設置可能としている。なお、１８  滑り易くする、或いは逆に滑りにくくする、或いは、床などテーブルの設置場所を傷つけないようにする、或いは美観をよくするなどのためのカバーは、本発明装置には含まない。本発明装置が付け加えられる、対象の装置である。このように、６ テーブルまたは作業台などのありが侵入することを防止するためには、本発明の装置が設置される設備の脚部の本数は未定だが、全ての脚部に本装置を設置する必要がある。
【００２８】
図３３の実施例は、ありが５ テーブルまたは作業台など、本発明が設置される設備の本体から離れた方向、すなわち床面など、下部の方向から、テーブル又は作業台上面の方向に移動するためには、水の障壁を越えなくてはならない。ありは一般的に水の障壁を越えて探索したり、また、あえて、水がある方向に近づくことはなく、、テーブル又は作業台上面にたどりつくことが出来ない。
【００２９】
図３４は、図３３に示した本発明装置の拡大図である。図３５は図３４の平面図である。図３６は図３５のＬ−Ｌ’の断面図である。
【実施例７】
【００３０】
図３７は、図４に示す、５ テーブルまたは作業台など、本発明の装置が設置される設備の本体に代わり、１９  ベッドなど、本発明の装置が設置される本体にありが侵入することを防止する説明図であって、ありが１９  ベッドなど、本発明の装置が設置される本体にたどりつくためには、２０ ベッドなど、本発明の装置が設置される設備の脚部に設置された２１  水あるいは、侵入防止効果のある薬品を含んだ、障壁となる液体を越えなくてはならない。
ベッドは就寝用に使用されるとともに、病気患者及び高齢者の介護用、幼児、乳幼児の育児用に使用され、ありの侵入防止の必要度はより高くなる。同時にあり以外の危害を加える、あるいは傷病の原因となる害虫の侵入を防止する必要度も高くなる。このため、図３７では障壁として、２１  水あるいは、侵入防止効果のある薬品を含んだ、障壁となる液体を使用し、あり及びその他の害虫の侵入を防止する。
２１  水あるいは、侵入防止効果のある薬品を含んだ、障壁となる液体は、図３７に示すように、７ 水など障壁となる液体を入れる容器内側、及び８ 水など障壁となる液体を入れる容器外側より構成される本発明の装置により、２０ ベッドなど、本発明の装置が設置される設備の脚部に設置される。図３７では２０ ベッドなど、本発明の装置が設置される設備の脚部は４本で示しており、４本全てに本装置を設置する。このように、２０ ベッドなど、本発明の装置が設置される設備の脚部の本数は未定だが、全ての脚部に本装置を設置する必要がある。
【００３１】
図３７の実施例は、あり及びその他の害虫が１９  ベッドなど、本発明の装置が設置される本体に侵入することを防止する説明図であって、あり及びその他の害虫が１９  ベッドなど、本発明の装置が設置される本体から離れた方向、すなわち床面など、下部の方向から、ベッド上面の方向に移動するためには、２１  水あるいは、侵入防止効果のある薬品を含んだ、障壁となる液体を越えなくてはならない。あり及びその他の害虫は一般的に水の障壁を越えて探索したり、また、あえて、水がある方向に近づくことはなく、また、２１  水あるいは、侵入防止効果のある薬品を含んだ、障壁となる液体の効果により、ベッド上面にたどりつくことが出来ない。
【００３２】
図３８は、図３７に示した本発明装置の拡大図である。図３９は図３８の平面図である。図４０は図３９のＭ−Ｍ’の断面図である。
【産業上の利用可能性】
【００３３】
本発明装置はありの近接・侵入を防止することを目的としているが、実施例１、実施例２、実施例３、実施例４、実施例５、実施例６、実施例７に示したように、様々な状況において、ありの近接及び侵入、及びあり以外の害虫の近接及び侵入を防止する効果があり、大変有用である。
【符号の説明】
【００３４】
１  砂糖など甘味料、またはその収納容器置き部
２  水など障壁となる液体
３  「１  砂糖など甘味料、またはその収納容器置き部」と「２  水など障壁  となる液体」をつなぐ部分
４  縁部
５  テーブルまたは作業台など、本発明の装置が設置される設備の本体
６  テーブルまたは作業台など、本発明の装置が設置される設備の脚部
７  水など障壁となる液体を入れる容器内側
８  水など障壁となる液体を入れる容器外側
９  対象となる室内床など、本発明の装置が設置される場所の境界
１０  水など障壁となる液体を貯める溝部
１１  ありの接近、及び侵入を防止すべき対象の部分
１２  対象となる室内床など、本発明の装置が設置される場所の基礎部
１３  人間は通行可能だが、ありは通行出来ない橋の部分
１４  人間もありも通行可能な橋の部分
１５  通常の橋の脚
１６  ありが登れない構造の橋の脚
１７  溝を掘ってあるテーブルまたは作業台など、本発明の装置が設置される設備の本体
１８  滑り易くする、或いは逆に滑りにくくする、或いは、床などテーブルの設置場所を傷つけないようにする、或いは美観をよくするなどのためのカバー
１９  ベッドなど、本発明の装置が設置される本体
２０  ベッドなど、本発明の装置が設置される設備の脚部
２１  水あるいは、侵入防止効果のある薬品を含んだ、障壁となる液体
【図１】
2011078321.tif 000003
【図２】
2011078321.tif 000004
【図３】
2011078321.tif 000005
【図４】
2011078321.tif 000006
【図５】
2011078321.tif 000007
【図６】
2011078321.tif 000008
【図７】
2011078321.tif 000009
【図８】
2011078321.tif 000010
【図９】
2011078321.tif 000011
【図１０】
2011078321.tif 000012
【図１１】
2011078321.tif 000013
【図１２】
2011078321.tif 000014
【図１３】
2011078321.tif 000015
【図１４】
2011078321.tif 000016
【図１５】
2011078321.tif 000017
【図１６】
2011078321.tif 000018
【図１７】
2011078321.tif 000019
【図１８】
2011078321.tif 000020
【図１９】
2011078321.tif 000021
【図２０】
2011078321.tif 000022
【図２１】
2011078321.tif 000023
【図２２】
2011078321.tif 000024
【図２３】
2011078321.tif 000025
【図２４】
2011078321.tif 000026
【図２５】
2011078321.tif 000027
【図２６】
2011078321.tif 000028
【図２７】
2011078321.tif 000029
【図２８】
2011078321.tif 000030
【図２９】
2011078321.tif 000031
【図３０】
2011078321.tif 000032
【図３１】
2011078321.tif 000033
【図３２】
2011078321.tif 000034
【図３３】
2011078321.tif 000035
【図３４】
2011078321.tif 000036
【図３５】
2011078321.tif 000037
【図３６】
2011078321.tif 000038
【図３７】
2011078321.tif 000039
【図３８】
2011078321.tif 000040
【図３９】
2011078321.tif 000041
【図４０】
2011078321.tif 000042